(57)【特許請求の範囲】
【請求項１】
複数の放電ランプを光源とし、前記複数の放電ランプに点灯電力を供給する複数の放電ランプ点灯装置と、前記複数の放電ランプ点灯装置の点灯／消灯及び点灯電力の切り替えを制御する制御部とを具備し、前記制御部を操作する操作手段を有し、前記複数の放電ランプの光出力の総和を少なくとも３段階の点灯モードに切り替えられる照明器具において、前記複数の放電ランプ点灯装置のうち少なくとも１つの放電ランプ点灯装置は制御部からの信号を連続的に変化させることで放電ランプの点灯電力を連続的に変化させる機能を有した連続調光型点灯装置であって、かつ、他の少なくとも１つの放電ランプ点灯装置は制御部からの信号によっては点灯電力を切り替えられない単出力型点灯装置か、もしくは制御部からの信号によって点灯電力を２段階にのみ切り替えられる２段出力型点灯装置であり、前記３段階の点灯モードには複数の放電ランプ点灯装置全てを前記制御部の制御範囲の最大出力で点灯電力を供給させたフル点灯モードと、前記少なくとも１つの連続調光型点灯装置を前記制御部の制御範囲に応じて点灯電力を供給させ、かつ他の少なくとも１つの単出力型点灯装置または２段出力型点灯装置は点灯電力を供給しない連続調光点灯モードとを含み、前記フル点灯モードと前記連続調光点灯モードとの間で、前記複数の放電ランプの光出力の総和が不連続的に変化することを特徴とする照明器具。
【請求項２】
請求項１において、複数の放電ランプ全てが外径、内径、及び定格出力の異なる環形放電ランプであり、これらの放電ランプを同心円状に配置したことを特徴とする照明器具。
【請求項３】
請求項２において、最も内側に配置した外径、内径、及び定格出力が最も小さい環形放電ランプの点灯装置が単出力型点灯装置または２段出力型点灯装置であり、最も外側に配置した外径、内径、及び定格出力が最も大きい環形放電ランプの点灯装置が連続調光型点灯装置であることを特徴とする照明器具。
【請求項４】
請求項１〜３のいずれかにおいて、放電ランプ点灯装置の点灯／消灯及び点灯電力の切り替えを制御する制御部は、リモートコントロール送信機からのリモートコントロール信号により点灯／消灯及び点灯出力の切り替えを行うためのリモートコントロール信号の受信機能を有しており、全ての放電ランプを最大出力で点灯させたフル点灯モードと、前記単出力型点灯装置または２段出力型点灯装置の出力を停止し、前記連続調光型点灯装置のみが点灯する調光点灯モードとにダイレクトに移行する操作ボタンをリモートコントロール送信機に備えたことを特徴とする照明器具。
【発明の詳細な説明】
【技術分野】
【０００１】
本発明は、複数の放電ランプを光源とし、前記各放電ランプの光出力の総和を少なくとも３段階に切り替えられる照明器具に関するものである。
【背景技術】
【０００２】
従来より、複数の環形放電ランプと、前記放電ランプに点灯電力を供給する点灯装置とを備え、器具本体内に前記複数の放電灯及び前記点灯装置を収納配置する照明器具であって、少なくとも一本の放電ランプを消灯あるいは調光することにより、照明器具全体として調光制御を行う照明器具には、特開２０００−１８８１９６のようなものが知られている。
【０００３】
この発明では、一端部に電極を有し、他端部に閉塞部を有し、閉塞部近傍がブリッジ接合部によって接合されて、内部に一本の放電路が形成された二重管形の環形蛍光ランプ（ここでは、松下電器産業製のツインパルック）の４０形、７０形、１００形を光源とする照明器具において、それぞれの放電ランプを消灯あるいは全灯時の６０％以下の出力で点灯させることにより照明器具内温度の低減を図り、放電ランプの発光効率を向上させている。また、使用者の好みに応じて低照度から高照度までの幅広い照度を得ることを可能にしている。
【０００４】
この発明による照明器具のうち、４０形と１００形の２個の二重管形の環形蛍光ランプを光源とした構成を図７に示す。この照明器具は、交流電源Ｖｓと、４０形の二重管形の環形蛍光ランプ３と、１００形の二重管形の環形蛍光ランプ４と、交流電源Ｖｓの出力電圧をスイッチング素子のオン・オフにより高周波電圧（約４０ｋＨｚ〜約１００ｋＨｚ）に変換して４０形の二重管形の環形蛍光ランプ３、１００形の二重管形の環形蛍光ランプ４の各々に供給する４０形２段出力型点灯装置９ａと、１００形２段出力型点灯装置１０ａと、４０形の二重管形の環形蛍光ランプ３および１００形の二重管形の環形蛍光ランプ４の出力を切り替える切替手段２ａとから構成される。
【０００５】
切替手段２ａは、４０形の二重管形の環形蛍光ランプ３、１００形の二重管形の環形蛍光ランプ４の光出力を、全点灯状態（略ランプ定格光出力、以下、フル（ＦＵＬＬ）点灯モードと呼ぶ）と、調光状態（略ランプ定格光出力の５０〜７０％程度の光出力、以下、調光点灯モードと呼ぶ。）と、消灯状態とで段階的に切り替えるものとする。この構成で得られる照明器具の点灯状態の模式図を図８に示す。図８において、二重斜線はフル点灯モード、斜線は調光点灯モード、斜線無しは消灯モードを意味する。
【０００６】
図８の照明器具の点灯状態（ａ）〜（ｉ）を、４０形の二重管形の環形蛍光ランプ３と１００形の二重管形の環形蛍光ランプ４の点灯モードの表にしたものを表１に示す。表中、ＦＵＬＬ出力はフル点灯モード、ＤＩＭ出力は調光点灯モードを意味する。図８及び表１は、４０形の二重管形の環形蛍光ランプ３、１００形の二重管形の環形蛍光ランプ４の点灯状態を組み合わせたものであり、全部で９通りのそれぞれ照度が異なる点灯状態があり、図９にそれぞれの点灯状態での照度の段階を調光比として示す。
【０００７】
図９のグラフは、４０形の二重管形の環形蛍光ランプ３、１００形の二重管形の環形蛍光ランプ４双方のランプをフル点灯モードで点灯させたときの調光比を１００％として棒グラフで示したものである。それぞれのランプの調光点灯モードの光出力は、このグラフでは、フル点灯モードの５０％として表している。また、棒グラフには全光出力に対する４０形の二重管形の環形蛍光ランプ３、１００形の二重管形の環形蛍光ランプ４の内訳を合わせて表記している。
【０００８】
【表１】
0004720376.tif 000002
【０００９】
図８、図９及び表１によれば、４０形の二重管形の環形蛍光ランプ３、１００形の二重管形の環形蛍光ランプ４の各ランプでフル点灯モード、調光点灯モード、消灯の３つの点灯状態を個別に制御して組み合わせることで、全消灯状態を除いて略連続的に８段階の照度を使用者の好みに応じて得られることがわかる。
【特許文献１】特開２０００−１８８１９６号公報
【発明の開示】
【発明が解決しようとする課題】
【００１０】
しかしながら、上記従来例では、以下のような問題が生じてしまう。たとえば、図９において、照度の大きい方から数えて８段階中６段階目の点灯状態（ｈ）から７段階目の点灯状態（ｃ）との間の切り替え操作を考えた場合、４０形の二重管形の環形蛍光ランプ３を消灯モードから始動させてフル点灯モードで点灯させ、１００形の二重管形の環形蛍光ランプ４は調光点灯モードから消灯する、という２段階の操作が必要になるため、操作が煩雑である。
【００１１】
また、予め前記９つの点灯状態を切替手段２ａが記憶しており、照度の順に移行するように設定している場合においても、順に切り替える過程で放電ランプの始動、及び消灯の動作を必要とする切替モードがある。
【００１２】
ここで、図１０に放電ランプ始動時の光出力の推移を示す。図１０の過渡動作は５段階に分けられ、（１）は先行予熱領域であり、約１秒間、予熱電流を流すことによりフィラメントを加熱して放電ランプの放電開始時のストレスを軽減している。この領域では基本的に放電によるランプの発光は起こらないため、光出力は消灯状態に等しい。（２）は始動領域であり、放電ランプの始動に必要な電圧をフィラメント間に印加し、放電ランプを起動する。起動後は点灯状態を保つ。ここではこのときの光出力をフル点灯モードの７０％、時間は約１秒間としている。（３）は強制フル点灯の領域であり、切替手段２ａからの制御信号が調光点灯モードのものであっても、この領域はフル点灯モードに固定となる。ここでは約０．３秒間としている。（４）は調光点灯モード時の出力推移領域、（５）は出力安定領域であり、（３）強制フル点灯領域から約０．３秒間の（４）出力推移領域を経て（５）出力安定領域へと移行している。フル点灯モードの場合は、（３）強制フル点灯領域以降は出力は１００％のまま変化せずにフル点灯状態を維持する。
【００１３】
以上のように、放電ランプの始動時には約１秒間の略消灯の状態から、出力が７０〜１００％程度で推移する約１．６秒間程度の過渡状態を経て、所定の出力に移行している。即ち、所定の出力になるまでに約２．６秒程度の時間を要することになる。
【００１４】
上述の図８に示した８段階の照度切替の動作中、放電ランプの始動が関係する５通りの切替動作については必然的に約２．６秒間の時間が必要となり、８段階の照度を順に切り替えていく操作には時間がかかる。
【００１５】
ここで、図９における点灯状態（ｇ）→（ｂ）、（ｈ）→（ｃ）にそれぞれ光出力が低減される方向へ切り替えた際の光出力の推移を図１１に示し、同じく図９における点灯状態（ｂ）→（ｇ）、（ｃ）→（ｈ）にそれぞれ光出力が増加される方向へ切り替えた際の光出力の推移を図１２に示す。
【００１６】
図１１においては、点灯状態（ｇ）→（ｂ）への切替時の光出力の推移を曲線（ア）に、点灯状態（ｈ）→（ｃ）への切替時の光出力の推移を曲線（イ）に示す。この場合、切替信号の入力時に即、１００形の二重管形の環形蛍光ランプ４を消灯または調光し、同時に４０形の二重管形の環形蛍光ランプ３が上記の過渡動作による始動を開始するため、一旦照度を大きく低減してそこから段階的に照度が上がる動作になる。照度が完全に切り替わるまでには切替信号の入力から約２．３秒間の時間を必要とする。曲線（イ）で示した点灯状態（ｈ）→（ｃ）への切替時に至っては一旦消灯することになる。
【００１７】
図１２においては、点灯状態（ｂ）→（ｇ）への切替時の光出力の推移を曲線（ウ）に、点灯状態（ｃ）→（ｈ）への切替時の光出力の推移を曲線（エ）に示す。曲線（ウ）に示した点灯状態（ｂ）→（ｇ）への切替時には、切替信号の入力時に即、４０形の二重管形の環形蛍光ランプ３を調光し、同時に１００形の二重管形の環形蛍光ランプ４が調光点灯モードからフル点灯モードに移行するため、一旦照度を低減してそこからすぐに照度が上がる動作になる。照度が完全に切り替わるまでには切替信号の入力から約０．３秒間の時間を必要とする。曲線（エ）で示した点灯状態（ｃ）→（ｈ）への切替時に至っては、切替信号の入力時に即、４０形の二重管形の環形蛍光ランプ３を消灯し、同時に１００形の二重管形の環形蛍光ランプ４が上記の過渡動作による始動を開始するため、照度を増加させる方向の操作をしているにもかかわらず、照明器具自体を一旦消灯し、そこから段階的に照度を上げていく動作をすることになる。照度が完全に切り替わるまでには切替信号の入力から約２．６秒間の時間を必要とする。
【００１８】
このように、切替動作ごとに各ランプの動作も所要時間もばらばらになり、さらには一度照度を切り替え、元に戻す動作をした場合に全く違う動作になってしまうため、段階的に照度が変化したとは言い難い不自然な切替動作をすることになる。
【００１９】
すなわち、この従来例では、２個の放電ランプにおいてフル点灯モード、調光点灯モード、消灯の３つの点灯状態の組み合わせにより、消灯状態を除いて８段階の照度を得ることができるが、照度を増減する操作の際に時間がかかる、連続的には動作しない、使用者にとって照度の増減がわかりにくい、と言った問題がある。
【課題を解決するための手段】
【００２０】
請求項１の発明は、上記のような問題を解決するために、図１に示すように、複数の放電ランプ３，４を光源とし、前記複数の放電ランプ３，４に点灯電力を供給する複数の放電ランプ点灯装置９，１０と、前記複数の放電ランプ点灯装置９，１０の点灯／消灯及び点灯電力の切り替えを制御する制御部（リモコン受光部９）とを具備し、前記制御部を操作する操作手段（リモコン送信機）を有し、前記複数の放電ランプ３，４の光出力の総和を少なくとも３段階の点灯モードに切り替えられる照明器具において、前記複数の放電ランプ点灯装置９，１０のうち少なくとも１つの放電ランプ点灯装置１０は制御部からの信号を連続的に変化させることで放電ランプ４の点灯電力を連続的に変化させる機能を有した連続調光型点灯装置であって、かつ、他の少なくとも１つの放電ランプ点灯装置９は制御部からの信号によっては点灯電力を切り替えられない単出力型点灯装置か、もしくは制御部からの信号によって点灯電力を２段階にのみ切り替えられる２段出力型点灯装置であり、前記３段階の点灯モードには複数の放電ランプ点灯装置全てを前記制御部の制御範囲の最大出力で点灯電力を供給させたフル点灯モードと、前記少なくとも１つの連続調光型点灯装置を前記制御部の制御範囲に応じて点灯電力を供給させ、かつ他の少なくとも１つの単出力型点灯装置または２段出力型点灯装置は点灯電力を供給しない連続調光点灯モードとを含み、前記フル点灯モードと前記連続調光点灯モードとの間で、前記複数の放電ランプ３，４の光出力の総和が不連続的に変化することを特徴とする。
【００２１】
請求項２の発明は、請求項１において、複数の放電ランプ全てが外径、内径、及び定格出力の異なる環形放電ランプであり、これらの放電ランプを同心円状に配置したことを特徴とする。
【００２２】
請求項３の発明は、請求項２において、最も内側に配置した外径、内径、及び定格出力が最も小さい環形放電ランプの点灯装置が単出力型点灯装置または２段出力型点灯装置であり、最も外側に配置した外径、内径、及び定格出力が最も大きい環形放電ランプの点灯装置が連続調光型点灯装置であることを特徴とする。
【００２３】
請求項４の発明は、請求項１〜３のいずれかにおいて、放電ランプ点灯装置の点灯／消灯及び点灯電力の切り替えを制御する制御部は、リモートコントロール送信機からのリモートコントロール信号により点灯／消灯及び点灯出力の切り替えを行うためのリモートコントロール信号の受信機能を有しており、全ての放電ランプを最大出力で点灯させたフル点灯モードと、前記単出力型点灯装置または２段出力型点灯装置の出力を停止し、前記連続調光型点灯装置のみが点灯する調光点灯モードとにダイレクトに移行する操作ボタンをリモートコントロール送信機に備えたことを特徴とする。
【発明の効果】
【００２４】
請求項１記載の発明によれば、少なくとも１個の連続調光型点灯装置と単出力型点灯装置または２段出力型点灯装置の組み合わせにより、高照度の領域では２段階もしくは３段階に照度が変わる段調光動作をし、低照度の領域では連続的に照度が変わる連続調光動作をするものであるから、照度の変化がわかりにくい高照度の領域においては単出力型点灯装置または２段出力型点灯装置の段調光または消灯によって大きく照度を変更し、照度の変化が比較的わかりやすい低照度の領域においては連続調光型点灯装置のみを点灯させ、連続調光動作をさせることで幅広い照度に加え、視覚的にスムーズな照度の変化を得ることができる。
【００２５】
請求項２記載の発明によれば、同心円状に配置された環形放電ランプであることで、消灯を含む調光動作や複数本の環形放電ランプの間で個別の調光動作をした場合も、照明器具の配光を著しくは変えることなく照度を切り替えられる。
【００２６】
請求項３の発明によれば、最も出力の小さいランプを段調光または消灯することによって照度を変更し、最も出力の大きいランプを前記最も出力の小さいランプの消灯時に連続調光動作させることで、より連続的な光出力の変化を得ることができる。
【００２７】
請求項４の発明によれば、フル点灯モードと連続調光モードの切り替えおよび連続調光モードでの連続調光のための操作が単純でわかりやすく、また使用者の操作によってフル点灯モードと連続調光モードの切り替えを行うため、連続調光の操作時に前記放電ランプが始動する過程による光出力の過渡的な変化が起こることがなくなる。
【発明を実施するための最良の形態】
【００２８】
以下、図面を参照して本発明の実施の形態について説明する。
本発明の第一の実施形態の外観図を図２に示す。
【００２９】
図２の照明器具は、放電ランプに点灯電力供給や放電ランプから発生して交流電源に帰還するノイズを除去するなどの機能を持った点灯装置が内蔵され、かつ放電ランプから照射された照明光を反射する反射面を有し、かつ天井面への固定取り付け機構を有した円形状の照明器具本体１と、前記照明器具本体１に取り付けられた外部から赤外線信号を受信することにより点灯・消灯・調光などの制御を行う受信装置兼制御装置（以後、リモコン受光部と呼ぶ。）２と、照明器具本体１に取り付けられる定格ランプ電力４１Ｗの２重環形放電ランプ（以後、ＦＨＤ４０ランプ）３と、同じく照明器具本体１に取り付けられ、前記ＦＨＤ４０ランプ３の外周に配置される定格ランプ電力９７Ｗの２重環形放電ランプ（以後、ＦＨＤ１００ランプ）４と、それらＦＨＤ４０ランプ３及びＦＨＤ１００ランプ４を前記照明器具本体１に固定するためのランプ支持具５と、前記照明器具本体１の一部であり、前記ＦＨＤ４０ランプ３及びＦＨＤ１００ランプ４にランプフィラメントを通じて点灯電力の供給を行うランプソケット６と、前記照明器具本体１に取り付けられ、光源であるＦＨＤ４０ランプ３及びＦＨＤ１００ランプ４から照射される光を拡散させる役割を持つ光透過性のカバー７と、前記光透過性のカバー７を照明器具本体１に支持するための支持部品８により構成されている。光透過性のカバー７は図中の矢印のように照明器具本体１に接触させ、時計回り方向に回転させることで支持部品８に保持される。
【００３０】
また、図１に前記ＦＨＤ４０ランプ３及びＦＨＤ１００ランプ４、照明器具本体１に内蔵されているＦＨＤ４０ランプ３の点灯装置（以後、ＦＨＤ４０点灯装置）９及び内蔵されているＦＨＤ１００ランプ４の点灯装置（以後、ＦＨＤ１００点灯装置）１０と、照明器具本体１に取り付けられているリモコン受光部２の構成のブロック図を示す。
【００３１】
前記ブロック図の構成は、照明器具本体１に取り付けられるＦＨＤ４０ランプ３及びそれに点灯電力供給を行うＦＨＤ４０点灯装置９と、同じく照明器具本体１に取り付けられるＦＨＤ４０ランプ３の外周に配置されるＦＨＤ１００ランプ４及びそれに点灯電力供給を行うＦＨＤ１００点灯装置１０と、前記リモコン受光部２とからなる。
【００３２】
ＦＨＤ１００点灯装置１０は、商用電源からの電源供給を入力コネクタ１１により受け、かつ電源送りコネクタ１２に接続された電源送り線１３によりＦＨＤ４０点灯装置９の入力コネクタ１４にも供給している。
【００３３】
また、ＦＨＤ１００点灯装置１０は、リモコン受光部２への制御電源電圧Ｖｃｃを端子ａから、１００Ｖ（５０／６０Ｈｚ）の商用電源電圧を全波整流した後の電位により通電を検知する通電検知信号ＩＮＴを端子ｂから供給しており、逆にリモコン受光部２から点灯・消灯（ＯＮ／ＯＦＦ）を制御するためのＨ／Ｌ信号を端子ｃから、また、点灯出力を制御するためのオンデューティー可変のパルス信号よりなる調光信号を端子ｄから受信している。
【００３４】
一方、ＦＨＤ４０点灯装置９は、リモコン受光部２から点灯・消灯（ＯＮ／ＯＦＦ）を制御するためのＨ／Ｌ信号を端子ｆにより受信している。
【００３５】
上記端子ａ〜ｄの電圧に基準電位となる端子ｅのＧＮＤ電位を加えた５つの異なる電圧ラインが、リモコン受光部２の第一の制御信号コネクタ１５から第一の制御信号線１６を介してＦＨＤ１００点灯装置１０の制御信号コネクタ１７と接続され、一方、上記端子ｆの電圧に基準となる端子ｇのＧＮＤ電位を加えた電圧ラインが、リモコン受光部２の第二の制御信号コネクタ１８から第二の制御信号線１９を介してＦＨＤ４０点灯装置９の制御信号コネクタ２０と接続されている。ここで、端子ｅと端子ｇのＧＮＤ電位は同電位である。
【００３６】
また、ＦＨＤ４０ランプ３にはＦＨＤ４０点灯装置９の出力コネクタ２１からＦＨＤランプ出力線２２を介して点灯電力が供給され、ＦＨＤ１００ランプ４にはＦＨＤ１００点灯装置１０の出力コネクタ２３からＦＨＤランプ出力線２４を介して点灯電力が供給される。
【００３７】
ＦＨＤ４０点灯装置９は、ＦＨＤ４０ランプ３の点灯及び消灯を前記端子ｆのＯＮ／ＯＦＦ信号により切り替えており、点灯時にはＦＨＤ４０ランプ３のランプ電力は略定格出力で点灯している。
【００３８】
ＦＨＤ１００点灯装置１０は、ＦＨＤ１００ランプ４への点灯出力を前記端子ｄの調光信号に応じて制御しており、フル点灯モード時にはＦＨＤ１００ランプ４のランプ電力は略定格出力で点灯しており、調光−ＭＩＮ（最小）点灯モード時にはランプ電力は定格比略１５％で出力し、このときの調光比は約１０％となる。
【００３９】
リモコン受光部２はこれら２つの点灯装置９，１０への制御信号を組み合わせて出力している。
【００４０】
【表２】
0004720376.tif 000003
【００４１】
表２にＦＨＤ１００点灯装置１０への調光信号（端子ｄ）と、ＦＨＤ４０点灯装置９へのＯＮ／ＯＦＦ信号（端子ｆ）と、そのときの各ランプの点灯状態の関係を、図３に各モードでの光出力の推移を示す。
【００４２】
フル点灯モード（Ａ）では双方のランプが略定格出力で点灯しており、そこから調光操作するとＦＨＤ４０ランプ３が消灯してＦＨＤ１００ランプ４のみが点灯する連続調光点灯モード（Ｂ）に移行する。連続調光点灯モードではＦＨＤ１００ランプ４がランプ電力で定格比約１００％〜１５％、光出力では１００％〜１０％の範囲で動作する。
【００４３】
また、図４には各モードでの照明器具の調光比を示す。ＦＨＤ４０ランプ３の定格光束は３４５０ｌｍ、ＦＨＤ１００ランプ４の定格光束は９８５０ｌｍである。したがってフル点灯モード（Ａ）での全光束は３４５０＋９８５０＝１３３００ｌｍとなる。一方、連続調光点灯モード（Ｂ）の最小出力時の全光束は９８５０×１０％＝９８５ｌｍとなる。したがって、このときの調光比は９８５／１３３００＝７．４％となる。フル点灯モード（Ａ）時にＦＨＤ４０ランプ３が点灯していることにより、連続調光点灯モード（Ｂ）の最小出力時の調光比が低くできていることがわかる。また、ＦＨＤ４０ランプ３の起動が必要になる連続調光点灯モード（Ｂ）からフル点灯モード（Ａ）への切り替え動作をしたときの光出力の推移もスムーズになる。
【００４４】
図５に本実施例の照明器具を簡単に、かつ使用者にわかりやすく制御するリモートコントロール送信機を示す。図中のボタンは全灯ボタン２５、お好みの明るさボタン２６、連続調光時の照度アップダウンボタン２７、常夜灯ボタン２８、消灯ボタン２９、チャンネル切り替えスイッチ３０である。全灯ボタン２５及びお好みの明るさボタンは前記フル点灯モード（Ａ）と連続調光点灯モード（Ｂ）とを切り替えるものであり、常夜灯ボタン２８は環形放電ランプ以外の光源のみを点灯させた常夜灯モードへの切り替えボタンであり、消灯ボタン２９は全ての光源を消灯させたモードへの切り替えボタンである。
【００４５】
また、図６には、ＦＨＤ４０ランプ３の起動が必要になる連続調光点灯モード（Ｂ）からフル点灯モード（Ａ）への切り替え動作をしたときの光出力の推移を示す。図中の曲線（オ）は連続調光点灯モード（Ｂ）中の最大出力の点灯状態からフル点灯モード（Ａ）へ切り替えたときの光出力の推移であり、曲線（カ）は連続調光点灯モード（Ｂ）中のＦＨＤ１００ランプ４の調光比が５０％である点灯状態から、曲線（キ）は同じくＦＨＤ１００ランプ４の調光比が１０％である点灯状態からフル点灯モード（Ａ）へ切り替えたときの光出力の推移である。
【００４６】
いずれの曲線も段階的に光出力が変わる動作にはなるが、単調増加の変化であり、従来例にあるような一旦消灯する、一旦減少してから増加に転じる、などの不自然な動作がない。
【００４７】
このリモコン送信機によれば、従来例で挙げたような照度の変更に時間がかかる場合の操作には別ボタンを使用させることにより使用者に調光範囲と明るさの変化をわかりやすく提供することができる。
【図面の簡単な説明】
【００４８】
【図１】本発明の実施形態のブロック構成図である。
【図２】本発明の実施形態の外観を示す斜視図である。
【図３】本発明の実施形態の各点灯モード時の光出力を示す図である。
【図４】本発明の実施形態の各点灯モード時の調光比を示す図である。
【図５】本発明の実施形態のリモートコントロール送信機を示す正面図である。
【図６】本発明の実施形態の点灯モード切り替え時の光出力の推移を示す図である。
【図７】従来例の構成を示すブロック図である。
【図８】従来例の点灯状態の模式図である。
【図９】従来例の点灯状態の光出力比を示す図である。
【図１０】従来例の放電ランプ始動時の光出力の推移を示す図である。
【図１１】従来例の点灯モード切り替え時（光出力減）の光出力の推移を示す図である。
【図１２】従来例の点灯モード切り替え時（光出力増）の光出力の推移を示す図である。
【符号の説明】
【００４９】
２    リモコン受光部
３    ＦＨＤ４０ランプ
４    ＦＨＤ１００ランプ
９    ＦＨＤ４０点灯装置
１０  ＦＨＤ１００点灯装置
【図１】
0004720376.tif 000004
【図２】
0004720376.tif 000005
【図３】
0004720376.tif 000006
【図４】
0004720376.tif 000007
【図５】
0004720376.tif 000008
【図６】
0004720376.tif 000009
【図７】
0004720376.tif 000010
【図８】
0004720376.tif 000011
【図９】
0004720376.tif 000012
【図１０】
0004720376.tif 000013
【図１１】
0004720376.tif 000014
【図１２】
0004720376.tif 000015